(57)【要約】【課題】水洗いが可能でかつ安価に製作することが可能な回転円板式の物品供給装置を提供する。【解決手段】底面１３に開口１５を有する回転ボール１０と、回転ボール１０内に傾斜して配設された回転円板２０と、第１回転伝達軸３３を介して回転ボール１０を回転駆動する第１駆動モータ３１と、開口１５を貫通して配置された第２回転伝達軸３４を介して回転円板２０を回転駆動する第２駆動モータ３２と、第１駆動モータ３１と第２駆動モータ３２とを収容する駆動手段収容室４１とを備え、第１回転伝達軸３３および第２回転伝達軸３４を中空軸である支柱５６，５７の内側に配置し、回転ボール１０と駆動手段収容室４１とを離間して配置し、駆動手段収容室４１を水密にした。【選択図】　　　　図２
2004059259.tif 000002
【特許請求の範囲】
【請求項１】
底面に開口を有する回転ボールと、
前記回転ボール内に傾斜して配設された回転円板と、
前記回転ボールの下方に位置し、第１回転伝達軸を介して前記回転ボールを回転駆動する第１駆動手段と、
前記回転ボールの下方に位置し、前記開口を貫通して配置された第２回転伝達軸を介して前記回転円板を回転駆動する第２駆動手段と、
前記第１駆動手段と前記第２駆動手段とを収容する駆動手段収容室とを備え、前記回転ボールと前記回転円板とが回転することにより、前記回転円板上にばら積みされた複数の物品を移送して外部に供給する回転円板式の物品供給装置であって、
前記回転ボールと前記駆動手段収容室とを離間して配置し、前記駆動手段収容室を水密にしたことを特徴する、物品供給装置。
【請求項２】
前記第１回転伝達軸と前記第２回転伝達軸とは、それぞれ略円筒状の中空軸内に配置されている、請求項１に記載の物品供給装置。
【請求項３】
前記回転ボールを回転自在に支持する支持部有し、前記支持部が前記中空軸によって支持されることにより、前記回転ボールと前記駆動手段収容室とが離間して位置している、請求項２に記載の物品供給装置。
【請求項４】
前記第２回転伝達軸は、先端にネジ部を有し、
前記回転円板は、前記ネジ部に螺合するノブによって前記第２回転伝達軸に挟み込まれて固定されている、請求項１から３のいずれかに記載の物品供給装置。
【発明の詳細な説明】
【０００１】
【発明の属する技術分野】
本発明は、回転円板式の物品供給装置に関し、特に固形食品具材を供給するための回転円板式の物品供給装置に関する。
【０００２】
【従来の技術】
機械部品や固形食品具材などに代表される比較的小さい物品を整列して送り出す装置として物品供給装置（部品供給装置）が広く知られている。物品供給装置としては、振動式のものや回転円板式のものなど様々な形式のものが知られている。物品供給装置を用いる際には、供給する物品の種類や形状、寸法などにあわせて適宜最適の形式のものが選択される。
【０００３】
このうち、固形食品具材を食品製造ライン等に供給する物品供給装置としては、回転円板式の物品供給装置が利用される場合が多い。回転円板式の物品供給装置は、回転ボールと、回転ボールの中に傾斜して配設された回転円板とが回転することにより、遠心力によって物品を整列させて外部に供給する形式の物品供給装置である。この種の物品供給装置は、振動式の物品供給装置に比べて、比較的安価に製作できる点や物品の供給スピードを早くすることができる点などにおいて優れている。この方式を採用した従来の物品供給装置を図６に示す。
【０００４】
図に示すように、回転円板式の物品供給装置１０１は、回転ボール１１０と、回転円板１２０と、第１駆動手段としての第１駆動モータ１３１と、第２駆動手段としての第２駆動モータ１３２と、機台１４０と、移送ガイド１５１と、ツーリングケース１６０とを主に備える。
【０００５】
回転ボール１１０は深皿形状を有しており、その上面開口からは外側に向かってフランジ部１１２が張り出して設けられ、底面１１３には開口１１５およびこの開口１１５に沿って下方へと張り出した被支持部１１４が設けられている。回転円板１２０は、回転ボール１１０の内部にその主面が傾斜姿勢となるように配置され、その周縁の最上位が上記フランジ部１１２とほぼ同じ高さになるように調節されている。機台１４０は、上面に開口１４２を有する箱形状をなしており、この開口１４２近傍に回転ボール１１０の被支持部１１４がベアリング１７１を介して嵌め込まれている。これにより、回転ボール１１０は、機台１４０に回転自在に支持されることになる。
【０００６】
機台１４０の内部には第１駆動モータ１３１が配置されており、図示しない第１回転伝達機構を介して回転ボール１１０を回転駆動するように構成されている。また、機台１４０内には駆動モータ１３２が配置されており、回転ボール１１０の底面１１３に設けられた開口１１５を貫通するように配置された第２回転伝達機構（図示せず）を介して回転円板１２０を回転駆動するように構成されている。なお、一般に、第１回転伝達機構は、無端ベルトや回転伝達軸（シャフト）、ギアなどを組合わせることによって第１駆動モータ１３１の回転力を回転ボール１１０へ伝達するように構成され、第２回転伝達機構は、回転伝達軸を用いることによって第２駆動モータ１３２の回転力を回転円板１２０へ伝達するように構成される。
【０００７】
回転ボール１１０内に投入された複数の固形食品具材２００は、回転円板１２０上にばら積みされる。回転ボール１１０と回転円板１２０とが回転することにより、遠心力によって固形食品具材は回転ボール１１０の内周壁面１１１ａに集められて回転ボール１１０内を旋回する。このとき、回転円板１２０の最上位に達した固形食品具材がフランジ部１１２上へと乗り移る。フランジ部１１２上に乗り移った固形食品具材は、フランジ部１１２を取り囲むように配置された移送ガイド１５１に沿って旋回し、旋回トラックの図示しない出口を経由してベルトコンベア等の搬送手段に供給され、食品製造ラインへと運ばれて行く。以上により、回転ボール１１０内に投入された複数の固形食品具材２００が、整列されて一つずつ外部へと供給されるようになる。
【０００８】
上述のように、ワークピースを固形食品具材とした場合には、当然に衛生上の理由から食品と接触する部分を常に清潔に保っておく必要がある。このため、回転ボールの内周壁面や回転円板の上面などの部分を定期的に洗浄することが必要になる。
【０００９】
この洗浄作業は、雑菌の繁殖を抑えるために、物品供給装置に付着した固形食品具材の粉や屑などを丹念に洗剤等を用いて水洗いすることによって行うことが望ましい。
【００１０】
【発明が解決しようとする課題】
しかしながら、上記構成のような回転円板式の物品供給装置１０１にあっては、回転円板１２０と回転ボール１１０との間に僅かに隙間が存在するため、この隙間から固形食品具材２００の粉や屑が回転ボール１１０の底面１１３へと落下してしまう。落下した粉や屑は、回転ボール１１０の底面１１３に設けられた開口１１５を介して機台中にさらに落下することになる。物品供給装置１０１内部に堆積した固形食品具材の粉や屑をそのまま放置した場合には、この粉や屑に雑菌が繁殖し、衛生上重大な問題を引き起こすことが懸念される。
【００１１】
ところで、上記構成の物品供給装置１０１を水洗いした場合には、回転ボール１１０の下方に位置する第１駆動モータ１３１や第２駆動モータ１３２、回転伝達機構などに水が付着することになり、駆動モータ１３１，１３２が焼き付いたり、駆動伝達機構が錆びたりするおそれがある。このため、上記従来の物品供給装置１０１においては水洗いを行うことができず、回転ボール１１０内に付着したゴミを拭き取る程度の清掃しか行なえなかった。
【００１２】
この問題を解決しようとしたものに、特開２０００−７２２２８に開示された物品供給装置がある。上記公報に開示された物品供給装置にあっては、回転ボールや回転円板を駆動するモータとして防水性のモータを使用し、さらにボールの底面上に堆積した固形食品具材の粉や屑を排除する機構として、ボールの底面上を移動するスキージを組み込んでいる。これにより、物品供給装置を水洗いすることが可能になるとともに、物品供給装置内部に入り込んだ粉や屑をスキージによって物品供給装置外部に排除することが可能になるため、衛生面での改善が図られるようになる。
【００１３】
しかしながら、上記公報に開示された物品供給装置にあっては、以下のような問題がある。まず、第１に、ボールの底面上に堆積した固形食品具材の粉や屑を排除する機構としてスキージを組み込んだとしても、スキージでは完全に粉や屑を除去することは不可能であるため、結局のところ定期的に水洗いをする必要が出てくる。しかし、上記のスキージを組み込んだ場合にはスキージやスキージの駆動機構が邪魔になって洗浄が行ない難く、洗浄が不完全になるおそれも高い。第２に、防水モータは通常のモータに比べて高価であるため、物品供給装置の製造コストが高くなる問題がある。このように、上記公報に開示の物品供給装置を用いた場合にも依然として問題は生じていた。
【００１４】
そこで、本発明は上記問題点を解決すべくなされたものであり、水洗いが可能でかつ安価に製作することが可能な回転円板式の物品供給装置を提供することを目的とする。
【００１５】
【課題を解決するための手段】
本発明に基づく物品供給装置は、回転ボールと、回転円板と、第１駆動手段と、第２駆動手段と、駆動手段収容室とを備え、回転ボールと回転円板とが回転することにより、回転円板上にばら積みされた複数の物品を移送して外部に供給する回転円板式の物品供給装置である。回転ボールは、底面に開口を有する。回転円板は、回転ボール内に傾斜して配設される。第１駆動手段は、回転ボールの下方に位置し、第１回転伝達軸を介して回転ボールを回転駆動する。第２駆動手段は、回転ボールの下方に位置し、開口を貫通して配置された第２回転伝達軸を介して回転円板を回転駆動する。駆動手段収容室は、第１駆動手段と第２駆動手段とを収容する。本発明に基づく物品供給装置においては、回転ボールと駆動手段収容室とが離間して配置され、かつ駆動手段収容室が水密に構成されていることを特徴としている。
【００１６】
このように、駆動手段収容室を水密とすることにより、水洗いをした場合にも駆動手段に水が付着するおそれがなくなるため、高価な防水モータを駆動手段として使用する必要がなくなり、安価に物品供給装置を製作することが可能になる。また、回転ボールと駆動手段収容室とを離間して配置することにより、回転ボールの底面から落下した粉や屑などのゴミが回転ボールと駆動手段収容室との間に位置するスペースに堆積するようになる。このため、駆動手段収容室の内部にゴミが侵入することがなくなるとともに、物品供給装置の連続運転中にも上記スペースに溜まったゴミを定期的に取り除く清掃作業が行なえるようになる。以上により、清掃および洗浄作業が容易に行なえるようになる。
【００１７】
上記本発明に基づく物品供給装置にあっては、たとえば、第１回転伝達軸と第２回転伝達軸とは、それぞれ略円筒状の中空軸内に配置されていることが好ましい。このように、第１回転伝達軸と第２回転伝達軸を中空軸で覆うことにより、回転ボールと駆動手段収容室との間のスペースに回転伝達軸が露出することが避けられるため、安全性に優れた物品供給装置とすることが可能になる。
【００１８】
上記本発明に基づく物品供給装置にあっては、たとえば、回転ボールを回転自在に支持する支持部有し、支持部が中空軸によって支持されることにより、回転ボールと駆動手段収容室とが離間して位置していることが好ましい。このように、中空軸によって回転ボールが支持されるように構成することにより、回転ボールと駆動手段収容室との間のスペースを簡素な構造とすることが可能になるため、清掃作業が容易に行なえるようになる。
【００１９】
上記本発明に基づく物品供給装置にあっては、たとえば、第２回転伝達軸は先端にネジ部を有し、回転円板はネジ部に螺合するノブによって第２回転伝達軸に挟み込まれて固定されていることが好ましい。このように、ノブによって回転円板を第２回転伝達軸に固定する構造とすることにより、ノブを取り外すことによって簡便に回転円板を取外すことが可能になる。これにより、回転円板下方に位置する回転ボールの底面を容易に水洗いすることが可能になり、洗浄作業が容易化する。この結果、定期的に回転円板を取外して洗浄作業を行うことにより、常に物品供給装置を清潔に保つことが可能になる。
【００２０】
【発明の実施の形態】
以下、本発明の一実施の形態について、図を参照して説明する。
【００２１】
（全体構造）
まず、本発明の実施の形態における物品供給装置の全体構造について説明する。図１は、本発明の実施の形態における物品供給装置の外観図であり、図２は、本実施の形態における物品供給装置の概略縦断面図である。
【００２２】
図１および図２に示すように、物品供給装置１は、回転ボール１０と、回転円板２０と、第１駆動手段としての第１駆動モータ３１と、第２駆動手段としての第２駆動モータ３２と、機台４０と、回転ボール支持部材１７と、移送ガイド５１とを主に備える。
【００２３】
機台４０は、ベース脚５３上に配置された上面開口の箱形状からなり、内部に第１駆動モータ３１と第２駆動モータ３２とが収容される駆動手段収容室４１を有している。機台４０は、錆び防止のためにステンレス鋼によって形成される。また、機台４０の上面は、水切り板５４によって覆われている。水切り板５４は、周縁に溝５４ａを有しており、錆び防止のためにステンレス鋼によって形成されている。
【００２４】
機台４０の上部には、複数の支柱５５〜５８が立設されている。このうち、水切り板５４の四隅に設けられた支柱５５は、移送ガイド５１が取付けられた移送ガイド支持部５０を支持している。また、水切り板５４の中央に設けられた支柱５６，５８は、回転ボール支持部材１７を支持しており、支柱５７は、回転円板２０を支持している。これら支柱５５〜５８もすべて錆び防止のためにステンレス鋼にて形成される。
【００２５】
回転ボール支持部としての回転ボール支持部材１７は、上述のように支柱５６，５８によって支持されており、中央に開口を有する円板状の板からなる。回転ボール支持部材１７の上面の所定位置には、回転ガイドホイール１８が取付けられており、回転ボール１０の被支持部１４と噛み合うことにより、回転ボール１０の回転をガイドしている。なお、回転ボール支持部材１７は、ステンレス鋼製の保護カバー１９によって覆われている。
【００２６】
回転ボール１０は、回転ボール支持部材１７上に配置される。回転ボール１０は深皿形状を有しており、上面開口から外側に向かって張り出すフランジ部１２と、フランジ部１２から連続する側壁１１と、側壁１１から連続する底面１３と、底面１３の中央に設けられた開口１５と、開口１５の周縁から下方に向かって張り出すように形成された被支持部１４とを含んでいる。回転ボール１０は、上述の回転ガイドホイール１８によってその被支持部１４が支持されることにより、回転ボール支持部材１７に回転自在に支持されることになる。なお、回転ボール１０も錆び防止のためステンレス鋼にて形成されている。
【００２７】
回転円板２０は、回転ボール１０内に傾斜姿勢にて配設されている。回転円板２０の周縁の最上位は、回転ボール１０のフランジ部１２の高さとほぼ同じ高さになるように調節されている。回転円板２０は、上述の通り支柱５７によって支持されている。なお、回転円板２０も錆び防止のためにステンレス鋼にて形成されている。
【００２８】
（回転伝達機構）
次に、回転伝達機構について詳細に説明する。上述のように、回転ボール１０と駆動手段収容室を有する機台４０とは、支柱５６，５８によって離間して位置している。図２に示すように、第１駆動モータ３１および第２駆動モータ３２は、機台４０の上面を構成する水切り板５４の下面に固定されている。
【００２９】
第１駆動モータ３１の回転軸は、第１回転伝達軸３３に接続されている。第１回転伝達軸３３は、パイプ形状の支柱５６内にベアリングを介して配置されている。すなわち、支柱５６は中空軸となっており、その中を第１回転伝達軸３３が自在に回転できるように配置されている。第１回転伝達軸３３の上端は回転ボール支持部材１７上に達し、回転ボール１０の被支持部１４と無端ベルト３５によって接続されている。以上により、第１駆動モータ３１による回転力は、第１回転伝達軸３３および無端ベルト３５を介して回転ボール１０へと伝達されることになる。
【００３０】
第２駆動モータ３２の回転軸は、第２回転伝達軸３４に接続されている。第２回転伝達軸３４は、パイプ形状の支柱５７内にベアリングを介して配置されている。すなわち、支柱５７は中空軸となっており、その中を第１回転伝達軸３４が自在に回転できるように配置されている。第２回転伝達軸３４は、回転ボール１０の底面に設けられた開口１５を貫通して回転ボール１０内にまで達している。第２回転伝達軸３４の上端は回転円板２０に接続されている。以上により、第２駆動モータ３２による回転力は、第２回転伝達軸３４を介して回転円板２０へと伝達されることになる。
【００３１】
（防水機構）
次に、水密に構成される機台の防水機構について詳細に説明する。図２に示すように、機台４０の上面は水切り板５４によって覆われているが、水切り板５４には第１回転伝達軸３３が挿通する開口５４ｂと、第２回転伝達軸３４が挿通する開口５４ｃとが設けられている。上述のように、第１回転伝達軸３３は、水切り板５４の上面に立設する支柱５６内に挿通されており、第２回転伝達軸３４は、水切り板５４の上面に立設する支柱５７内に挿通されている。
【００３２】
水切り板５４に設けられた開口５４ｂ，５４ｃから水が機台４０内の駆動手段収容室４１内に侵入しないようにするために、支柱５６，５７の下端は押さえ板６１，６２によって取り囲まれている。押さえ板６１，６２のそれぞれは、支柱５６，５７の各々と水切り板５４との間にＯリング（図示せず）を挟み込んでおり、押さえ板を水切り板５４に固定することにより、これらの隙間から水が侵入するしないように構成されている。
【００３３】
また、第１および第２回転伝達軸３３，３４が挿通される中空軸である支柱５６，５７の端部にもＯリング等が用いられた水密加工が施されており、内部に水が侵入しないように構成されている。
【００３４】
（回転円板の取付構造）
次に、回転円板の取付け構造について説明する。図３は、回転円板の取付構造を示す模式図である。図に示すように、第２回転伝達軸３４の上端には、突出して形成されたネジ部３４ａが位置している。また、第２回転伝達軸３４が挿通された支柱５７の上端には、ピン６３が取付けられている。回転円板２０の中央には、貫通孔２１が設けられている。この貫通孔２１は、上述のネジ部３４ａに対応した孔である。また、回転円板２０の所定位置には貫通孔２２が設けられている。この貫通孔２２は、上述のピン６３に対応した孔である。
【００３５】
回転円板２０の取付けに際しては、ネジ部３４ａが貫通孔２１に挿通し、かつピン６３が貫通孔２２に挿通するように、回転円板２０を第２回転伝達軸３４に取付ける。さらに、回転円板２０の上面側から、ノブ３８をネジ部３４ａに取り付ける。ノブ３８は、下面にネジ部３８ａを有しており、このネジ部３８ａが第２回転伝達軸３４のネジ部３４ａに螺合することにより、回転円板２０が第２回転伝達軸３４に固定される。なお、ピン６３は、第２回転伝達軸３４に対して回転円板２０が空回りすることを防止するためのピンである。また、ノブ３８は、工具を用いることなく簡便に第２回転伝達軸３４へと取付けが可能となるように、握り易く工夫されている。
【００３６】
（物品の供給動作）
次に、上記構成の物品供給装置における物品の供給動作について説明する。図４は、本実施の形態における物品供給装置の上面図である。図に示すように、移送ガイド支持部５０は、回転ボール１０のフランジ部１２の外側を取り囲むように配置されている。移送ガイド支持部５０の所定位置には、複数の旋回トラック幅調節部５２を介して移送ガイド５１が取付けられている。旋回トラックの出口部分にはベルトコンベア８０が配置されている。なお、旋回トラック幅調節部５２は、回転ボール１０のフランジ部１２と移送ガイド５１とから構成される旋回トラックの幅を調節する手段である。
【００３７】
回転ボール１０内に投入された複数の固形食品具材は、回転円板２０上にばら積みされる。回転ボール１０と回転円板２０は、それぞれ第１駆動モータ３１および第２駆動モータ３２によって回転駆動されるため、固形食品具材は遠心力によって回転ボール１０の内周壁面１１ａに集められ、回転ボール１０内を旋回する。このとき、回転円板２０の最上位に達した固形食品具材がフランジ部１２へと乗り移る。フランジ部１２上に乗り移った固形食品具材は、フランジ部１２を取り囲むように配置された移送ガイド５１に沿って旋回トラック上を移動し、旋回トラックの出口においてベルトコンベア８０に供給される。以上により、回転ボール１０内に投入された固形食品具材が、整列されて一つずつ外部へと供給されることになる。
【００３８】
（清掃および洗浄作業）
以下においては、本実施の形態における物品供給装置の清掃および洗浄作業について説明する。ここで、清掃作業とは、物品供給装置に溜まったゴミを水洗いすることなく定期的に取り除く作業を指し、洗浄作業とは、水洗いすることにより物品供給装置に溜まったゴミを除去する作業を指す。
【００３９】
まず、本実施の形態における物品供給装置の清掃作業について説明する。図２を参照して、物品供給装置を連続的に動作させることにより、回転ボール１０内に投入された固形食品具材から発生した粉や屑は、回転ボール１０と回転円板２０の隙間から回転円板２０の下方へと落下し、回転ボール１０の底面１３上に堆積する。堆積した粉や屑は、回転ボール１０が回転することにより、底面１３に位置する開口１５から下方に向かって落下する。落下した粉や屑は、水切り板５４上に堆積する。
【００４０】
本実施の形態における物品供給装置においては、水切り板５４と回転ボール１０の下端までの距離を十分に大きく確保しておくが可能であるため、一定量の粉や屑などのゴミを水切り板５４上に溜めておくことが可能である。また、本実施の形態における物品供給装置においては、通常設けられるツーリングケースを備えていないため、簡便に水切り板５４上に溜まったゴミを除去することが可能である。このため、物品供給装置の連続動作中に清掃作業を行なうことが可能になり、ゴミの除去のためにわざわざ物品供給装置を停止させる必要がなくなる。
【００４１】
次に、本実施の形態における物品供給装置の洗浄作業について説明する。図５は、洗浄作業のために回転円板を取外した状態での物品供給装置の構造を示す外観図である。まず、図５を参照して、回転円板を取外した状態での物品供給装置の構造について説明する。図に示すように、物品供給装置１の回転ボール１０内は、回転円板２０を取外すことによって内周壁面１１ａの全面と、底面１３の全面が露出した状態にある。底面１３に設けられた開口１５からは、第２回転伝達軸３４が飛び出した状態となっている。
【００４２】
物品供給装置の洗浄を行なう場合には、予め物品供給装置１を停止し、回転円板２０を取外して図５に示す状態とする。この後、洗剤等を用いて水洗いを行なう。本実施の形態における物品供給装置にあっては、大部分をステンレス製としているため、水洗いをしても錆びが発生する問題はない。また、回転ボール１０を水洗いした場合に垂れ落ちる水は、防水機構を備えた水切り板５４によって受け止められるため、駆動手段収容室４１内に水が侵入するおそれもない。このため、第１および第２駆動モータ３１，３２が焼け付く心配もない。また、水切り板５４の外周部分に設けられた溝５４ａに排水管に接続しておくことにより、フロアを汚すことなく洗浄することも可能である。なお、取外した回転円板２０は、物品供給装置１本体とは別に洗浄する。
【００４３】
（効果）
上記構成により、水洗いをした場合にも駆動モータに水が付着するおそれがなくなるため、高価な防水モータを駆動モータとして使用する必要がなくなり、安価に物品供給装置を製作することが可能になる。また、回転ボールと駆動手段収容室とを離間して配置することにより、回転ボールの底面から落下した粉や屑を水切り板上に堆積させることが可能となるため、駆動手段収容室の内部に侵入することもない。このため、清掃および洗浄作業が容易に行なえるようになる。この結果、衛生面に優れた物品供給装置を安価に提供することが可能になる。
【００４４】
上記実施の形態において示した物品供給装置を使用することが好適な固形食品具材としては、たとえば、冷凍食品やインスタント食品、さらにはレトルト食品等に使用される加工肉、魚介類、果物、野菜、菓子等、様々なものが挙げられる。
【００４５】
なお、上記実施の形態においては、ツーリングケースを備えていない物品供給装置を例示して説明を行なったが、ツーリングケースを備えた物品供給装置に本発明を適用することも可能である。しかしながら、清掃作業の容易性を考えた場合には、中空軸中に回転伝達軸を配置することにより安全性を確保し、ツーリングケースを取付けない構成とすることが好ましい。
【００４６】
また、上記実施の形態においては、固形食品具材をワークピースとする物品供給装置を例示して説明を行なったが、特にこれに限定されるものではなく、他の物品をワークピースとして用いることも当然に可能である。
【００４７】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【００４８】
【発明の効果】
本発明によれば、水洗いが可能な回転円板式の物品供給装置を安価に提供することが可能になる。このため、特に固形食品具材をワークピースとして利用するのに好適な物品供給装置を安価に提供することが可能になる。
【図面の簡単な説明】
【図１】本発明の一実施の形態における物品供給装置の外観図である。
【図２】図１に示す物品供給装置の概略縦断面図である。
【図３】図１に示す物品供給装置の回転円板の取付構造を示す模式図である。
【図４】図１に示す物品供給装置の上面図である。
【図５】図１に示す物品供給装置において、回転円板を取外した状態での外観図である。
【図６】従来の回転円板式の物品供給装置の構造を示す模式断面図である。
【符号の説明】
１　物品供給装置、１０　回転ボール、１１　側壁、１１ａ　内周壁面、１２フランジ部、１３　底面、１４　被支持部、１５　開口、１７　回転ボール支持部材、１８　回転ガイドホイール、１９　保護カバー、２０　回転円板、２１，２２　貫通孔、３１　第１駆動モータ、３２　第２駆動モータ、３３　第１回転伝達軸、３４　第２回転伝達軸、３４ａ　ネジ部、３５　無端ベルト　３８　ノブ、３８ａ　ネジ部、４０　機台、４１　駆動手段収容室、５０　移送ガイド支持部、５１　移送ガイド、５２　旋回トラック幅調節部、５３　ベース脚、５４　水切り板、５４ａ　溝、５４ｂ，５４ｃ　開口、５５〜５８　支柱、６１，６２　押さえ板、６３　ピン、８０　ベルトコンベア。
【図１】
2004059259.tif 000003
【図２】
2004059259.tif 000004
【図３】
2004059259.tif 000005
【図４】
2004059259.tif 000006
【図５】
2004059259.tif 000007
【図６】
2004059259.tif 000008